(57)【要約】【課題】モバイル端末で閲覧したい必要個所をより鮮明に表示することが可能な映像配信システムにおけるモバイル端末の映像表示方法を提供する。【解決手段】撮像装置１０６で撮像した映像を蓄積する映像蓄積配信装置１０５と、モバイル端末１０１より要求された場合に映像蓄積配信装置より該当映像を取得してモバイル端末に配信する映像変換装置１０３を備え、モバイル端末上に表示された蓄積映像に対して、拡大する範囲を選択するための枠を表示する。前記枠は任意に移動や大きさの変更が可能であり、前記映像に対して所望の範囲の映像の拡大を多重回行い、拡大した映像をモバイル端末に表示する。【選択図】　図１
2004120686.tif 000002
【特許請求の範囲】
【請求項１】
撮像装置で撮像した映像を蓄積する映像蓄積配信装置と、モバイル端末より要求された場合に前記映像蓄積配信装置より該当映像を取得して前記モバイル端末に配信する映像変換装置を備え、前記モバイル端末は前記映像変換装置より取得した画像をモニタ上に表示し、表示した映像の任意の位置及び範囲を指定し、その映像と指定情報とを前記映像変換装置に送信し、前記映像変換装置は前記映像蓄積配信装置に蓄積している映像より前記モバイル端末で指定された映像を取得し、取得した画像を用いて前記モバイル端末で指定された位置及び範囲を、前記モバイル端末に表示する大きさに拡大した画像に作成し、作成した拡大画像を前記モバイル端末に配信し、前記モバイル端末は前記映像変換装置より取得した拡大画像を前記モニタ上に表示し、表示した拡大画像の中の映像の任意の位置及び範囲を再度指定することにより、再度指定された位置及び範囲を、前記モバイル端末に表示する大きさにさらに拡大した画像に作成し、前記モニタ上に表示することを特徴とする映像配信システムにおけるモバイル端末の映像表示方法。
【請求項２】
請求項１記載において、前記映像の任意の位置及び範囲を、枠で表示し、該枠を操作することにより前記映像の任意の位置及び範囲を指定することを特徴とする映像配信システムにおけるモバイル端末の映像表示方法。
【請求項３】
請求項１記載または２記載において、前記映像の任意の位置及び範囲を任意に変更して、拡大する位置及び範囲を調整することが可能であることを特徴とする映像配信システムにおけるモバイル端末の映像表示方法。
【発明の詳細な説明】
【０００１】
【発明の属する技術分野】
本発明は、モバイル端末を用いた映像配信システムにおいて、蓄積配信装置に蓄積された映像をモバイル端末で閲覧するために表示する、映像配信システムにおけるモバイル端末の映像表示方法に関するものである。
【０００２】
【従来の技術】
近年、監視カメラを用いた侵入者監視において、インターネットやＬＡＮ等のネットワーク技術を用いた映像蓄積及び映像配信技術が開発されてきている。さらに、映像蓄積配信装置に蓄積された映像を携帯電話やＰＤＡなどのモバイル端末で閲覧する方法が開発されてきている。
【０００３】
従来のモバイル端末を用いて映像蓄積配信装置に蓄積された映像を閲覧する方法について図１１を用いて説明する。
【０００４】
図１１は従来の映像配信システムを示す図である（文献公知発明に係るものではない。）。図１１において、１０１はモバイル端末、１０２はインターネットやＷＡＮ（Ｗｉｄｅ　Ａｒｅａ　Ｎｅｔｗｏｒｋ）等による伝送路、１０５は映像蓄積配信装置、１０４はＬＡＮ（Ｌｏｃａｌ　Ａｒｅａ　Ｎｅｔｗｏｒｋ）による伝送路、１０６は監視カメラである。映像蓄積配信装置１０５は常に監視カメラ１０６からの映像を蓄積している。モバイル端末１０１と映像蓄積配信装置１０５はＷＡＮによる伝送路１０２で接続され、映像蓄積配信装置１０５及び監視カメラ１０６はＬＡＮによる伝送路１０４で接続されている。
【０００５】
予め監視したい場所に監視カメラ１０６を設置して撮影し、ＬＡＮによる伝送路１０４を介して映像蓄積配信装置１０５に映像を蓄積する。そしてモバイル端末１０１を操作することにより映像蓄積配信装置１０５に蓄積されている画像をモバイル端末１０１が受取りそのモニタ上に表示することで、監視カメラ１０６からの画像を閲覧することができる。
【０００６】
【発明が解決しようとする課題】
しかしながら、一般に、モバイル端末のモニタは小さく画素数が少ないため、監視カメラで撮像した映像が適正な映像であっても、モバイル端末で閲覧した監視に必要な個所の映像内容が不鮮明に表示される場合があり、その必要個所を詳細を確認することができない。
【０００７】
本発明の目的は、モバイル端末で閲覧したい必要個所をより鮮明に表示することが可能な映像配信システムにおけるモバイル端末の映像表示方法を提供することにある。
【０００８】
【課題を解決するための手段】
本発明は、撮像装置で撮像した映像を蓄積する映像蓄積配信装置と、モバイル端末より要求された場合に前記映像蓄積配信装置より該当映像を取得して前記モバイル端末に配信する映像変換装置を備え、前記モバイル端末は前記映像変換装置より取得した画像をモニタ上に表示し、表示した映像の任意の位置及び範囲を指定し、その映像と指定情報とを前記映像変換装置に送信し、前記映像変換装置は前記映像蓄積配信装置に蓄積している映像より前記モバイル端末で指定された映像を取得し、取得した画像を用いて前記モバイル端末で指定された位置及び範囲を、前記モバイル端末に表示する大きさに拡大した画像に作成し、作成した拡大画像を前記モバイル端末に配信し、前記モバイル端末は前記映像変換装置より取得した拡大画像を前記モニタ上に表示し、表示した拡大画像の中の映像の任意の位置及び範囲を再度指定することにより、再度指定された位置及び範囲を、前記モバイル端末に表示する大きさにさらに拡大した画像に作成し、前記モニタ上に表示することを特徴とする映像配信システムにおけるモバイル端末の映像表示方法である。
【０００９】
本発明は、上記記載において、前記映像の任意の位置及び範囲を、枠で表示し、該枠を操作することにより前記映像の任意の位置及び範囲を指定することを特徴とする映像配信システムにおけるモバイル端末の映像表示方法である。
【００１０】
本発明は、上記記載において、前記映像の任意の位置及び範囲を任意に変更して、拡大する位置及び範囲を調整することが可能であることを特徴とする映像配信システムにおけるモバイル端末の映像表示方法である。
【００１１】
【発明の実施の形態】
図１はモバイル端末を用いて映像蓄積配信装置に蓄積された映像を閲覧するための装置の構成例を示すブロック図である。１０１はモバイル端末、１０２はインターネットやＷＡＮ（Ｗｉｄｅ　Ａｒｅａ　Ｎｅｔｗｏｒｋ）等による伝送路、１０３は映像変換装置、１０４はＬＡＮ（Ｌｏｃａｌ　Ａｒｅａ　Ｎｅｔｗｏｒｋ）による伝送路、１０５は映像蓄積配信装置、１０６は監視カメラである。映像蓄積配信装置１０５は常に監視カメラ１０６からの映像を蓄積している。モバイル端末１０１と映像変換装置１０３はＷＡＮ等による伝送路１０２で接続され、映像変換装置１０３と映像蓄積配信装置１０５及び監視カメラ１０６はＬＡＮによる伝送路１０４で接続されている。
【００１２】
図２は図１のモバイル端末１０１の構成を示す図である。２０１はＣＰＵ（Ｃｅｎｔｒａｌ　Ｐｒｏｃｅｓｓｉｎｇ　Ｕｎｉｔ）、２０２はメモリ、２０３はモニタ、２０４はボタン、２０５はスピーカ、２０６はアンテナ、２０７はバスである。２０１〜２０６はバス２０７を介して接続されている。
【００１３】
図３はモバイル端末１０１を用いて映像蓄積配信装置１０５に蓄積された映像を閲覧する第１の方法を示すフローチャートである。
【００１４】
ステップ３０１はモバイル端末１０１により映像蓄積配信装置１０５の映像を閲覧する処理を開始するステップである。ステップ３０２はモバイル端末１０１が映像変換装置１０３にログイン（接続）するステップである。ステップ３０３は映像変換装置１０３が映像蓄積配信装置１０５にログイン（接続）するステップである。ステップ３０４はモバイル端末１０１が映像変換装置１０３に映像蓄積配信装置１０５の映像を要求するステップである。ステップ３０５は映像変換装置１０３が映像蓄積配信装置１０５に映像取得を要求するステップである。
【００１５】
ステップ３０６は映像蓄積配信装置１０５が要求された映像を映像変換装置１０３に送信するステップである。ステップ３０７は映像変換装置１０３が前記映像を受信し、モバイル端末１０１で表示できる大きさの映像に変換するステップである。ステップ３０８は映像変換装置１０３が変換後の前記映像をモバイル端末１０１に送信するステップである。ステップ３０９はモバイル端末１０１が該映像を受信し、モニタ２０３に表示するステップである。
【００１６】
ステップ３１０はモバイル端末１０１がモニタ２０３に表示された映像上に、拡大する部分を選択するための枠を表示するステップである。図４にステップ３１０によってモバイル端末１０１のモニタ２０３の映像上に拡大する部分を選択する枠を表示した例を示す。４０１はモバイル端末１０１のモニタ２０３上に表示された映像であり、４０２は拡大する部分を選択するための枠である。
【００１７】
ステップ３１１はステップ３１０で表示された前記枠４０２を映像上で移動したり、前記枠４０２の大きさを変更するステップである。前記４０２の移動や大きさの変更は、モバイル端末１０１のボタン２０４の中の移動や大きさ変更に割り当てられたボタンを介して、該当する指示をＣＰＵ２０１に送り、ＣＰＵ２０１が適切な処理を実行することによって行う。図５に枠４０２の大きさを変更する前の画面表示の一例を示す。図５は図４と同様であるが、大きさを変更する前の枠４０２として枠５０１が追加されており、枠５０１の大きさを変更して、枠４０２の大きさにする。
【００１８】
ステップ３１２は映像拡大処理が初回か２回目以降かを判定するステップである。初回の映像拡大処理であれば、ステップ３１４に進み、２回目以降であれば、ステップ３１３に進む。
【００１９】
ステップ３１３は２回目以降の映像拡大処理において実行されるステップであり、詳細は後述する。
【００２０】
ステップ３１４はモバイル端末１０１が映像変換装置１０３に対して映像拡大要求を送信するステップである。モバイル端末１０１のボタン２０４の映像拡大要求送信に該当するボタンが押された場合、モバイル端末１０１はアンテナ２０６と伝送路１０２を介して、前記要求を映像変換装置１０３に送信する。この時、ステップ３１１で設定された枠４０２の位置や大きさに関わる情報が同時に映像変換装置１０３に送信される。具体的には、図４の点４０５の座標と枠４０２の幅と高さが送信される。また、モバイル端末１０１が送信した点４０５の座標と枠４０２の幅と高さを保持しておく。
【００２１】
ステップ３１５は映像変換装置１０３が前記映像拡大要求を受信し、該要求の情報に従って、映像を拡大するステップである。映像変換装置１０３は図４の画像の中から、点４０５を始点として枠４０２の幅と高さで示される長方形の範囲を切り取り、モバイル端末１０１で表示する画像の大きさに拡大する。
【００２２】
ステップ３１６は映像変換装置１０３が前記ステップ３１５で拡大した前記映像をモバイル端末１０１に送信するステップである。
【００２３】
ステップ３１７は、モバイル端末１０１が前記映像を受信し、モニタ２０３上に表示するステップである。
【００２４】
ステップ３１８は映像拡大処理を続行するか終了するかを判定するステップである。モバイル端末１０１の使用者から映像拡大処理の続行指示があった場合にはステップ３１０に進み、終了指示があった場合にはステッ３１９に進む。
【００２５】
ステップ３１９は映像拡大処理を終了するステップである。
【００２６】
ここで、ステップ３１３の処理の詳細を説明する。
【００２７】
ステップ３１３は上記ステップ３１０〜ステップ３１８までを少なくとも一回実行し、ステップ３１８において映像拡大処理を続行した場合に、モバイル端末１０１で実行されるステップである。ここでは、２回目の映像拡大処理を例にして、そのステップ３１３の動作を含んだステップ３１０からステップ３１８の処理を説明する。
【００２８】
２回目のステップ３１０を実行した時点で、モバイル端末１０１には、図６の画面が表示されている。６０１は図４における枠４０２で選択された範囲の映像を拡大してモバイル端末１０１に表示した映像である。６０２は映像６０１上に表示された拡大する部分を選択する枠である。
【００２９】
ステップ３１１は前述した処理と同様の処理を行う。
【００３０】
ステップ３１２により、２回目の映像拡大処理であるから、ステップ３１３に進む。
【００３１】
ステップ３１３では、２回目のステップ３１１で設定された映像の範囲を拡大前の映像（図４）に対する数値としてモバイル端末１０１が計算するステップである。映像変換装置１０３は、蓄積配信装置１０５から取得した映像を保持しており、拡大した後の映像を保持しない。つまり、拡大前の映像である映像４０１を保持している。しかし、ステップ３１１における枠６０２の選択範囲は映像６０１に対するものである。そこで、枠６０２で示される選択範囲が図４の映像４０１のどの部分を指しているのかを計算する必要がある。
【００３２】
図７を用いてステップ３１３の具体的な計算方法を説明する。
【００３３】
図７は図４の映像４０１と図６の映像６０１を縦に並べることにより、映像４０１における映像６０１と枠６０２の対応関係を示した図である。７０１は映像４０１上における枠６０２の範囲を示す枠である。
【００３４】
図７において、映像４０１の幅をｗ０、高さをｈ０とし、枠４０２の始点（左上の頂点）をＰ１（Ｐ１ｘ，Ｐ１ｙ）、枠４０２の幅をｗ１、枠４０２の高さをｈ１とし、枠６０２の始点をＰ２（Ｐ２ｘ，Ｐ２ｙ）、枠６０２の幅をｗ２、枠６０２の高さをｈ２とし、枠７０１の始点をＰ（Ｐｘ，Ｐｙ）、枠７０１の幅をｗ、枠７０１の高さをｈとする。
【００３５】
ここで、Ｐ１の座標とｗ１、ｈ１はステップ３１４において、モバイル端末１０１が保持しており、Ｐ２の座標とｗ２、ｈ２はステップ４０３で与えられるため、既知の数値である。また、ｗ０とｈ０はモバイル端末１０１の映像表示領域の幅と高さであるから、既知の数値である。
【００３６】
従って、点Ｐ、幅ｗ、高さｈを上記の既知の数値で表すことにより、映像４０１上における枠６０２で選択された映像の範囲を求めることができる。
【００３７】
まず、点Ｐの座標を求める。
図７より、次式の関係が成り立つ。
ｗ０：ｗ１＝Ｐ２ｘ：（ＰｘＰ１ｘ）　　　　　　　　　　　　　　　　…（１）
この（１）式を変形すると次式が得られる。
Ｐｘ＝（ｗ１／ｗ０）Ｐ２ｘ＋Ｐ１ｘ　　　　　　　　　　　　　　　　…（２）
Ｐｙに対しても同様に、次式の関係が成り立つ。
ｈ０：ｈ１＝Ｐ２ｘ：（ＰｘＰ１ｘ）　　　　　　　　　　　　　　　　…（３）
この（３）式を変形すると次式が得られる。
Ｐｙ＝（ｈ１／ｈ０）Ｐ２ｙ＋Ｐ１ｙ　　　　　　　　　　　　　　　　…（４）
従って、点Ｐの座標は、次のように示される。
Ｐ＝（（ｗ１／ｗ０）Ｐ２ｘ＋Ｐ１ｘ，（ｈ１／ｈ０）Ｐ２ｙ＋Ｐ１ｙ）　　　…（５）
次に、幅ｗと高さｈを求める。図７より、次式の関係を求めることができる。
ｗ０：ｗ１＝ｗ：ｗ２　　　　　　　　　　　　　　　　　　　　　…（６）
ｈ０：ｈ１　＝　ｈ：ｈ２　　　　　　　　　　　　　　　　　　　…（７）
これら（６）式、（７）式を変形すると、次式が得られる。
ｗ＝ｗ１ｗ２／ｗ０　　　　　　　　　　　　　　　　　　　　　　　　　　　…（８）
ｈ＝ｈ１ｈ２／ｈ０　　　　　　　　　　　　　　　　　　　　　　　　　　　…（９）
以上、（５）式、（８）式、（９）式により映像４０１における枠６０２による選択範囲を算出することができる。
【００３８】
ステップ３１４において、モバイル端末１０１が映像変換装置１０３に前記ステップ３１３で算出した選択範囲の始点の座標と幅、高さを送信する。
【００３９】
ステップ３１５で映像変換装置１０３が前記選択範囲の映像をモバイル端末１０１で表示する大きさに拡大する。
【００４０】
そして、ステップ３１６、ステップ３１７を実行することにより、枠７０２で選択された範囲の拡大映像がモバイル端末１０１に表示される。
【００４１】
図８に上記の処理により、図４の画像に対して２回映像拡大処理を実行した場合の映像の例を示す。８０１は図６の枠６０２で示される範囲の映像を拡大した結果をモバイル端末１０１に表示した映像である。
【００４２】
さらに、ステップ３１８で前述した処理と同様な処理を行うものとし、以上のようにステップ３１０〜３１８を繰り返すことにより、同一映像に対して拡大処理を多重に実行することが可能である。
【００４３】
以上説明した方法により、モバイル端末１０１に表示した映像に対して、拡大する部分を枠によって選択することができる。また、前記枠は任意の位置や大きさを任意に変更することが可能である。さらに、ステップ３１３に示した計算を行うことにより、同一映像に対して多重に拡大処理が可能である。
【００４４】
図９はモバイル端末１０１を用いて映像蓄積配信装置１０５に蓄積された映像を閲覧する第２の方法を示すフローチャートである。
【００４５】
図９は図３にくらべ、ステップ３１１の次にステップ３１４に進み、その後ステップ３１２と、ステップ３１３に代わるステップ９０１に進み、その後ステップ３１５に進むものであり、その他は図３と同様である。また図３のステップ３１３はモバイル端末１０１が拡大前の映像に対して拡大範囲を算出するが、本方法のステップ９０１は映像変換装置１０３が拡大前の映像に対して拡大範囲を算出する。その前提として本方法のステップ３１４においてモバイル端末１０１が映像変換装置１０３に映像拡大要求を送信した際、映像変換装置１０３は拡大した後の映像を保持している。したがってステップ９０１では図３のステップ３１３と同様の計算を映像変換装置１０３で行うことができる。
【００４６】
図１０はモバイル端末１０１を用いて映像蓄積配信装置１０５に蓄積された映像を閲覧する第３の方法を示すフローチャートである。
【００４７】
図１０は図３にくらべ、ステップ３１１の後に、ステップ３１２とステップ３１３を省略し、ステップ３１４に進むものであり、その他は図３と同様である。
【００４８】
その前提として本方法のステップ３１４においてモバイル端末１０１が映像変換装置１０３に映像拡大要求を送信した際、映像変換装置１０３は拡大した後の映像を保持している。そしてステップ３１５では拡大した後の映像に対してさらに映像を拡大する。
【００４９】
本発明の実施の形態により、一般のコンピュータに比べて表示領域の狭いモバイル端末においても簡単に映像の詳細を確認することが可能である。
【００５０】
本発明の実施の形態によれば、映像蓄積配信装置の蓄積映像をモバイル端末で閲覧する場合において、同一画像に対して多重に拡大を実行することができるため、徐々に拡大率を大きくしていくことができる。これにより、一度拡大した映像において確認したい対象の物体が小さかった場合においても、もう一度拡大を行うことにより、すばやく所望の拡大率を得ることが可能である。
【００５１】
さらに、映像を拡大表示する範囲を任意の位置や大きさに変更できるため、拡大範囲に検討をつけて拡大しながら範囲を変更していくことが可能である。
【００５２】
【発明の効果】
本発明によれば、モバイル端末で閲覧したい必要個所をより鮮明に表示することが可能な映像配信システムにおけるモバイル端末の映像表示方法を得ることができる。
【図面の簡単な説明】
【図１】本発明の実施の形態の蓄積配信システムを示す図である。
【図２】本発明の実施の形態の蓄積配信システムのモバイル端末の構成を示す図である。
【図３】モバイル端末を用いて映像蓄積配信装置に蓄積された映像を閲覧する第１の方法を示すフローチャート図である。
【図４】モバイル端末のモニタの映像上に拡大する部分を選択する枠を表示した例を示す図である。
【図５】モバイル端末のモニタの映像上の拡大枠の拡大縮小の様子を示した図である。
【図６】モバイル端末のモニタの映像上の拡大された監視映像上にさらに拡大枠を表示した図である。
【図７】２回目以降の映像拡大処理における映像選択範囲の計算方法を説明するための図である。
【図８】モバイル端末のモニタの映像上の拡大された監視映像をさらに拡大した図である。
【図９】モバイル端末を用いて映像蓄積配信装置に蓄積された映像を閲覧する第２の方法を示すフローチャートである。
【図１０】モバイル端末を用いて映像蓄積配信装置に蓄積された映像を閲覧する第３の方法を示すフローチャートである。
【図１１】従来の蓄積配信システムを示す図である。
【符号の説明】
１０１：モバイル端末、１０２：ＷＡＮ等による伝送路、１０３：映像変換装置、１０４：ＬＡＮによる伝送路、１０５：映像蓄積配信装置、１０６：監視カメラ、２０１：ＣＰＵ、２０２：メモリ、２０３：モニタ、２０４：ボタン、２０５：スピーカ、２０６：アンテナ、２０７：バス、４０１：モバイル端末に表示された映像、４０２：映像４０１における拡大する部分を選択する枠、４０５：枠４０２の始点、５０１：枠４０２の大きさと位置を変更した後の枠、６０１：映像４０１を拡大した映像、６０２：映像６０１における拡大する部分を選択する枠、７０１：枠６０２が映像４０１上に投影された枠、８０１：映像６０１を拡大した映像。
【図１】
2004120686.tif 000003
【図２】
2004120686.tif 000004
【図３】
2004120686.tif 000005
【図４】
2004120686.tif 000006
【図５】
2004120686.tif 000007
【図６】
2004120686.tif 000008
【図７】
2004120686.tif 000009
【図８】
2004120686.tif 000010
【図９】
2004120686.tif 000011
【図１０】
2004120686.tif 000012
【図１１】
2004120686.tif 000013